(57)【特許請求の範囲】
【請求項１】
遊技盤面と略平行な方向へ動作するように固定側部材によって支持されたアーム部材と、該アーム部材に支持された装飾体と、モータからの駆動力を前記アーム部材に伝達して該アーム部材を動作させるリンク機構と、を備えた装飾体ユニットであって、
前記リンク機構は、磁性材料から成る回動軸ピンと、該回動軸ピンを遊嵌させる長穴を有したリンク部材と、を備え、該リンク部材の一部は前記固定側部材によって回動自在に軸支され、
前記固定側部材には前記回動軸ピンと吸着可能な位置に永久磁石を備え、
前記装飾体が前記停止位置にある時に前記永久磁石によって前記回動軸ピンを吸着することによって前記アーム部材を停止位置に保持することを特徴とする装飾体ユニット。
【請求項２】
一端部に設けた回転軸を中心として遊技盤面と略平行な方向へ動作するように固定側部材によって支持されたアーム部材と、該アーム部材の他端部に支持された装飾体と、モータからの駆動力を前記アーム部材に伝達して該アーム部材を動作させるリンク機構と、を備えた装飾体ユニットであって、
前記リンク機構は、磁性材料から成る回動軸ピンと、該回動軸ピンを遊嵌させる長穴を有したリンク部材と、を備え、該リンク部材の一部は前記固定側部材によって回動自在に軸支され、
前記固定側部材には前記回動軸ピンと吸着可能な位置に永久磁石を備え、
前記装飾体が前記停止位置にある時に前記永久磁石によって前記回動軸ピンを吸着することによって前記アーム部材を停止位置に保持することを特徴とする装飾体ユニット。
【請求項３】
前記回動軸ピンは、前記アーム部材、又は前記装飾体によって遮蔽可能な背面側に位置し、且つ、前記リンク機構の背面側からのみ視認可能な位置に配置されていることを特徴とする請求項１、又は２の何れか一項に記載の装飾体ユニット。
【請求項４】
前記アーム部材、又は前記装飾体が透明部材にて構成されていることを特徴とする請求項１乃至３の何れか一項に記載の装飾体ユニット。
【請求項５】
請求項１乃至４の何れか一項に記載の装飾体ユニットを備えたことを特徴とする遊技盤。
【請求項６】
請求項５に記載の遊技盤を備えたことを特徴とするパチンコ遊技機。
【発明の詳細な説明】
【技術分野】
【０００１】
本発明は、パチンコ遊技機を構成する遊技盤面上において装飾体を盤面と略平行な方向へ開閉、出没動作させることによって遊技進行上特徴的な演出効果を発揮させることができるようにした装飾体ユニット、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
【０００３】
また、特許文献２にも第１の可動部材と第２の可動部材を動作させるための構成が開示されている。
しかし、ギヤ機構を用いて各可動役物を上下、左右に動作させる場合には、可動役物を退避位置にて停止させた状態を維持することが難しい。即ち、ギヤ同志のバックラッシュ、部材間の寸法誤差等によって、可動役物が本来の停止位置から遊技領域側に偏位した状態で停止することが多々あり、遊技球の経路を妨げたり、外観を悪化させて遊技の興趣を低下させる原因となる。
このような不具合は、一端に設けた回動軸を中心として盤面と平行な方向へ回動する長尺アームの先端に可動役物を取り付けた構造の盤面部品において発生し易い。これは、長尺アームの一端に設けた回動軸と他端に設けた可動役物との間の距離が長いために長尺アームを退避位置に停止させた際に、長尺アーム及び可動役物の自重と、ギヤ部のバックラッシュなどに起因して退避位置に確実に停止させることが難しいからである。
【０００４】
可動役物を正規の退避位置に確実に停止させる方策として、例えば樹脂材料から成る長尺アームや可動役物側に鉄などの金属部材を固定すると共に、遊技盤側に永久磁石を固定配置することにより、可動役物が停止位置に達したときに金属部材を永久磁石にて吸着保持することも考えられるが、樹脂材料からなる長尺アームや可動役物に対して位置決めのみを目的とした専用の金属部材を取り付けるための設計変更を加える必要があり、部品点数の増大、組付け手数の増大をもたらすため、得策ではない。特に、金属部材を取り付ける対象部位やその前方に位置する部材が透明材料からなる場合には、前方から金属部材が目視されてしまうため、外観が悪化する。
【特許文献１】特願２００５−２１４１９７公報
【特許文献２】特開２００４−１２９８７５公報
【発明の開示】
【発明が解決しようとする課題】
【０００５】
以上のように、遊技盤の盤面と平行な方向へ往復動作する可動役物を退避位置にて停止させる場合に、自重、部品間の精度誤差等に起因して本来の停止位置から盤面中央側へ偏位した位置で停止することがある。可動役物と固定側部材の何れか一方に金属部材を配置すると共に他方に永久磁石を配置して両者の吸着によって可動役物の停止位置を確定させることも可能であるが、部品点数が増加するという問題と、取り付ける対象部位やその前方に位置する部材が透明材料からなる場合には、前方から金属部材が目視されてしまうため、外観が悪化する。
本発明は上記に鑑みてなされたものであり、可動役物側に格別な部品の追加を行うことなく、遊技盤面と略平行な方向へ動作する可動役物が退避位置にある時の位置精度を高めることができる装飾体ユニット、遊技盤、及びパチンコ遊技機を提供することを目的としている。
【課題を解決するための手段】
【０００６】
上記目的を達成するため、請求項１の発明の装飾体ユニットは、遊技盤面と略平行な方向へ動作するように固定側部材によって支持されたアーム部材と、該アーム部材に支持された装飾体と、モータからの駆動力を前記アーム部材に伝達して該アーム部材を動作させるリンク機構と、を備えた装飾体ユニットであって、前記リンク機構は、磁性材料から成る回動軸ピンと、該回動軸ピンを遊嵌させる長穴を有したリンク部材と、を備え、該リンク部材の一部は前記固定側部材によって回動自在に軸支され、前記固定側部材には前記回動軸ピンと吸着可能な位置に永久磁石を備え、前記装飾体が前記停止位置にある時に前記永久磁石によって前記回動軸ピンを吸着することによって前記アーム部材を停止位置に保持することを特徴とする。
リンク機構を構成する部品を金属部材（回動軸ピン）として兼用しているので、格別の部品を増設することなく、固定側に配置した永久磁石との協働によってアーム部材を停止位置に停止させることができる。アーム部材や、その前方に配置される部材が透明であったとしても、金属部材はリンク機構の本来の構成要素に過ぎないため、前方から視認した場合に外観を悪化させることがない。
【０００７】
請求項２の発明の装飾体ユニットは、一端部に設けた回転軸を中心として遊技盤面と略平行な方向へ動作するように固定側部材によって支持されたアーム部材と、該アーム部材の他端部に支持された装飾体と、モータからの駆動力を前記アーム部材に伝達して該アーム部材を動作させるリンク機構と、を備えた装飾体ユニットであって、前記リンク機構は、磁性材料から成る回動軸ピンと、該回動軸ピンを遊嵌させる長穴を有したリンク部材と、を備え、該リンク部材の一部は前記固定側部材によって回動自在に軸支され、前記固定側部材には前記回動軸ピンと吸着可能な位置に永久磁石を備え、  前記装飾体が前記停止位置にある時に前記永久磁石によって前記回動軸ピンを吸着することによって前記アーム部材を停止位置に保持することを特徴とする。
請求項３の発明の装飾体ユニットは、前記回動軸ピンは、前記アーム部材、又は前記装飾体によって遮蔽可能な背面側に位置し、且つ、前記リンク機構の背面側からのみ視認可能な位置に配置されていることを特徴とする。
回動軸ピンをリンク機構の背面側のみに配置しておけば、前方から視認される虞がなくなる。
請求項４の発明の装飾体ユニットは、前記アーム部材、又は前記装飾体が透明部材にて構成されていることを特徴とする。
請求項５の発明に係る遊技盤は、請求項１乃至４の何れか一項に記載の装飾体ユニットを備えたことを特徴とする。
請求項６の発明に係るパチンコ遊技機は、請求項５に記載の遊技盤を備えたことを特徴とする。
【発明の効果】
【０００８】
本発明によれば、固定側部材と可動盤面部品との間に配置されるリンク機構を構成するピン（金属部材）を、固定側部材に設けた永久磁石によって吸着保持するように構成したので、可動盤面部品が透明材料から構成される場合のように、可動盤面部品に取り付けた金属部材が前方から視認されて外観を悪化させるという不具合をなくしつつ、可動盤面部品ユニットが収納位置にあるときに可動盤面部品を固定側部材に確実に係止して遊技領域方向へ突出しないようにすることができる。
【発明を実施するための最良の形態】
【０００９】
以下、本発明を図面に示した実施の形態により詳細に説明する。
図１は本発明の実施の形態に係るパチンコ遊技機の全体正面図であり、図２は遊技盤を斜め上方から見た斜視図、図３（ａ）及び（ｂ）は可動盤面部品ユニットの収納状態における正面図、及び背面図であり、図４（ａ）及び（ｂ）は可動盤面部品ユニットの突出状態における正面図、及び背面図であり、図５（ａ）（ｂ）及び（ｃ）は可動盤面ユニットの構成を示す斜視図、正面図、及びＡ−Ａ断面図である。
パチンコ遊技機１は、矩形形状の枠２を有し、この枠２の窓孔に対して裏側から遊技盤３が着脱可能に取り付けられている。
【００１０】
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
【００１１】
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１２】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。
また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１３】
図柄表示装置９の上方、及び右側方には多数の雪結晶を象った可動盤面部品が配置されているが、右側方に位置する可動盤面部品２０は、上端部を遊技盤、飾り枠等の固定側部材により軸支されることによって左右方向へ揺動（開閉動作）するアーム部材２１と、アーム部材２１の前面に上下方向に沿って複数配列された星形のギミック（装飾体）２２と、から構成されている。更に、この可動盤面部品２０と、可動盤面部品２０を駆動する駆動機構３０と、可動盤面部品及び駆動機構の背面側に固定配置された図示しないＬＥＤとは、可動盤面部品ユニット２５を構成している。
可動盤面部品２０は、遊技盤面、或いは遊技盤に形成した開口内に配置されて所定の軌跡に沿って動作する。アーム部材２１の上端部に設けた軸部２１ａは遊技盤、或いはその他の支持部材によって軸支されており、アーム部材２１は全体として図１、図３に示した収納位置（停止位置）と、図４に示した突出位置との間を揺動することができる。アーム部材２１の背面にはＬＥＤを搭載したプリント基板が組み付けられており、透明材料から構成されたギミック２２を背面から照光する。
【００１４】
駆動機構３０は、可動盤面部品２０の駆動源としてのモータ３１と、モータ３１の出力ギヤ３２と噛合するギヤ部を有した扇形ギヤ３３と、扇形ギヤ３３の一部から一体的に突出したリンク片３４と、アーム部材２１の下部適所から背面側に突設されてリンク片３４に設けた長穴３４ａ内に遊嵌するピン（回動軸ピン）３５と、を有する。
モータ３１の出力ギヤ３２が正逆回転することによりこれと噛合する扇形ギヤ３３も軸３３ａを中心として正逆回動し、その過程で扇形ギヤ３３と一体のリンク片３４も図３の状態から図４の状態に動作する。リンク片３４が往復動作する過程で長穴３４ａ内をピン３５が往復動作しながらリンク片からの駆動力がアーム部材２１に伝達されてアーム部材２１を図３の収納状態から図４の突出状態へ移行させる。
なお、リンク片３４と、ピン３５は、リンク機構を構成している。ピン３５の少なくとも一部は鉄等の磁性材料から構成される。この例では、ピン３５の背面側端部のみが背面側に露出されており、前方からは視認できないように構成されている。
【００１５】
可動盤面部品ユニット２５が図１、図３に示した収納位置（停止位置）にあるときに、可動盤面部品ユニット２５の一部、この例では最下部に位置する大径星形のギミック（装飾体）２２ａの前方に位置するように化粧板４０が固定配置されている（図２）。化粧板４０の前面には遊技内容に関連した絵図、文字等々任意の画像が表示されると共に、化粧板４０の背面側にはギミック２２ａを収容するための空所４１ａが形成される。
化粧板４０は、所定の強度と弾性を有した樹脂板であり、ギミック２２ａが収納位置にある時にその背面によりギミックの前面に圧接してこれを後方へ弾性的に押圧して一定位置に静止させるように、その下縁部を遊技盤側によって固定されて立設されている。
本発明の特徴的な構成は、図５に示すように、リンク機構が、その一部に磁性材料から成るピン３５を備えると共に、遊技盤、飾り枠等の固定側部材５０のピン３５と吸着可能な位置に永久磁石４５を配置した点にあり、ギミック２２ａが停止位置にある時に永久磁石４５によってピン３５を吸着することによってアーム部材２１及びギミック２２全体を停止位置に確実に保持する。
可動盤面部品ユニット２５を停止位置から突出位置へ変位させる際には、永久磁石４５による吸着力を上回る駆動力をモータから扇形ギヤ３３に出力することにより、永久磁石４５からピン３５を離脱させてアーム部材２１を移動させることができる。
【００１６】
ピン３５を磁性材料から構成すると共にその背面側端部を背面側に露出させて、背面側からのみ視認できるようにしているので、表面側からピンが視認されにくくなる。仮に、前方に透明部材が配置され、しかも後方からの発光によりピン及びその周辺がライトアップされたとしてもピンはリンク機構の一部として外観に溶け込んでおり、前方からの視認によりピンが目立つことはない。
以上のように本発明では、収納位置と突出位置との間で進退自在に支持された可動盤面部品ユニット２５が収納位置にあるときに、可動盤面部品を固定側部材に確実に係止して遊技領域方向へ突出しないようにするために、固定側部材と可動盤面部品との間に配置されるリンク機構を構成するピン（金属部材）を、固定側部材に設けた永久磁石によって吸着保持するように構成した。このため、可動盤面部品が透明材料から構成される場合のように、可動盤面部品に取り付けた金属部材が前方から視認されて外観を悪化させるという不具合がなくなる。
【図面の簡単な説明】
【００１７】
【図１】本発明の実施の形態に係るパチンコ遊技機の全体正面図である。
【図２】遊技球誘導装置を斜め上方から見た斜視図である。
【図３】（ａ）及び（ｂ）は可動盤面部品ユニットの収納状態における正面図、及び背面図である。
【図４】（ａ）及び（ｂ）は可動盤面部品ユニットの突出状態における正面図、及び背面図である。
【図５】（ａ）（ｂ）及び（ｃ）は可動盤面ユニットの構成を示す斜視図、正面図、及びＡ−Ａ断面図である。
【符号の説明】
【００１８】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…可動盤面部品、２１…アーム部材、２１ａ…軸部、２２…ギミック、２２ａ…ギミック、２５…可動盤面部品ユニット、３０…駆動機構、３１…モータ、３２…出力ギヤ、３３…扇形ギヤ、３３ａ…軸、３４…リンク片、３４ａ…長穴、３５…ピン、４０…化粧板、４１ａ…空所、４５…永久磁石
【図１】
0004726921.tif 000002
【図２】
0004726921.tif 000003
【図３】
0004726921.tif 000004
【図４】
0004726921.tif 000005
【図５】
0004726921.tif 000006